(57)【特許請求の範囲】
【請求項１】
結束機本体の後部に回転自在に設けたワイヤリールの結束用ワイヤをワイヤ送り手段によって結束機本体の前方に送り出して交差した鉄筋の周囲に巻き付けた後、捩り用フックで捩って結束する鉄筋結束機におけるワイヤリールのブレーキ機構において、
中間が上記ワイヤリールの一部の周縁部とほぼ同じに弯曲したブレーキ手段を上記周縁部に沿うように配置し、このブレーキ手段の一端を結束機本体に枢着し、上記ブレーキ手段の他端を、上記ワイヤリールとワイヤ送り手段との間に張設されたワイヤに対して略直角に当るように配置するとともに、バネにより、常時上記ブレーキ手段の上記他端がワイヤを押し上げ、かつ上記ブレーキ手段の上記中間部が上記ワイヤリールの周縁部を押圧するように付勢しておき、
ワイヤ送り時にはワイヤリールから引き出されるワイヤの張力によって上記バネのバネ力に抗してブレーキ手段の上記他端を押し戻してブレーキ手段をワイヤリールの周縁部から離反するようにした
ことを特徴とする鉄筋結束機におけるワイヤリールのブレーキ機構。
【発明の詳細な説明】
【０００１】
【発明の属する技術分野】
本発明は鉄筋結束機において所定の長さの結束用ワイヤを送り出した後にワイヤリールの回転を停止させるブレーキ機構に関する。
【０００２】
【従来技術】
一般に鉄筋結束機は、交差された鉄筋の周囲に所定の長さの結束用ワイヤを巻き回した後にこのワイヤを捩り用フックで捩って結束するものである。ワイヤは結束機本体の後部に装着されたワイヤリールに巻回され、ワイヤ送り時にはワイヤ送り手段によってワイヤが前方に送り出され、このときワイヤリールが回転してワイヤが巻き出される。ワイヤの送り量は正確に制御され、所定の長さのワイヤが送られると、ワイヤの送りは急停止する。
【０００３】
【発明が解決しようとする課題】
しかしながら、上記ワイヤ送り機構によれば、所定の長さの送りがなされるとワイヤの送りは急停止するが、ワイヤリールは慣性によって余分に回り続けるから、図４に示されるようにワイヤリール２０上のワイヤ２１の径は膨らんでしまい、ワイヤ２１が絡みあって円滑な巻き出しができなくなり、次段のワイヤ送りに支障をきたすことがある。
【０００４】
これに対応するものとして、ワイヤリールに板バネ等で常時ブレーキをかけてワイヤリールの惰性回転を防止することも考えられるが、この場合は送りの負荷が増大するので、消費電流が増加し、モータが発熱し、スピードが低下する等の問題が生じる。
【０００５】
本発明は上記問題点を解消し、所定のワイヤ送りが終了するとほぼ同時にワイヤリールの回転にブレーキをかけることができる鉄筋結束機におけるワイヤリールのブレーキ機構を提供することをその課題とする。
【０００６】
【課題を解決するための手段】
前記課題を解決するため、本発明に係る鉄筋結束機におけるワイヤリールのブレーキ機構は、結束機本体の後部に回転自在に設けたワイヤリールの結束用ワイヤをワイヤ送り手段によって結束機本体の前方に送り出して交差した鉄筋の周囲に巻き付けた後、捩り用フックで捩って結束する鉄筋結束機におけるワイヤリールのブレーキ機構において、中間が上記ワイヤリールの一部の周縁部とほぼ同じに弯曲したブレーキ手段を上記周縁部に沿うように配置し、このブレーキ手段の一端を結束機本体に枢着し、上記ブレーキ手段の他端を、上記ワイヤリールとワイヤ送り手段との間に張設されたワイヤに対して略直角に当るように配置するとともに、バネにより、常時上記ブレーキ手段の上記他端がワイヤを押し上げ、かつ上記ブレーキ手段の上記中間部が上記ワイヤリールの周縁部を押圧するように付勢しておき、ワイヤ送り時にはワイヤリールから引き出されるワイヤの張力によって上記バネのバネ力に抗してブレーキ手段の上記他端を押し戻してブレーキ手段をワイヤリールの周縁部から離反するようにした
ことを特徴とする。
【０００７】
【発明の実施の形態】
図１、図２はそれぞれ鉄筋結束機における結束機構の概要を示す側面図及び平面図で、同図において符号１は結束機本体、２は結束機本体１の後部に回転自在に設けたワイヤリールを示す。結束機本体１にはワイヤ３の通路（図示せず）が形成され、通路にはワイヤ３を前方に送り出す送り手段５が配置され、また結束機本体１の前部にはワイヤ３をループ状に曲がるように案内するガイド６が設けられている。また、結束機本体１には交差した鉄筋７の周囲に巻き付けられたワイヤ３に係合して捩る捩り用フック８が形成され、この捩り用フック８はモータ９によって駆動されるように構成されている。なお、上記送り手段５も図示しない別のモータによって駆動される。
【０００８】
上記鉄筋結束機は送り手段５によってワイヤリール２から所定の長さのワイヤ３を送り出して交差された鉄筋７の周囲に巻き回した後、送り手段５からの信号に基づいて捩り用モータ９が作動し、捩り用フック８を駆動してワイヤ３を捩って結束するものである。
【０００９】
上記ワイヤリール２は図２に示されるように、ドラム２ａとフランジ２ｂとから結束機本体１の後部一側に形成された収納部１０に着脱自在に収納配置されている。そして、ワイヤリール２には次のブレーキ機構が設けられている。すなわち、ワイヤリール２のフランジ２ｂの一部の周縁部に沿ってブレーキ手段１１が配置されている。このブレーキ手段１１は中間がワイヤリール２の周縁部と略同じ曲率の弯曲部１２を有して略Ｌ字形に形成された金属又は合成樹脂製の部材で、このブレーキ手段１１の下側の端部は結束機本体１に設けられた支軸１３に枢着されている。また、ブレーキ手段１１の上側の端部はワイヤリール２とワイヤ送り手段５との間に張設されたワイヤ３に対して略直角に押圧可能に配置されているとともに、ブレーキ手段１１の下方と結束機本体１との間には圧縮バネ１４が配置され、上記上側の端部はこの圧縮バネ１４のバネ力によりワイヤリール２から引き出されたワイヤ３を下から押圧するように構成されている。
【００１０】
上記構成において、通常はワイヤリール２のワイヤ３上側の端部はこの圧縮バネ１４のバネ力によりワイヤリール２から引き出されたワイヤ３を下から押圧するように構成されている。
【００１１】
上記構成において、ワイヤ３送り手段によりワイヤ３が送られるとき、ワイヤ送り手段５はワイヤリール２のワイヤ３を強く引き出すことになるので、ワイヤ送り手段５とワイヤリール２との間においてワイヤ３には強い張力が働く。そのため、図３のように、ワイヤ３がブレーキ手段１１の上側の端部を下方に押し込むので、ブレーキ手段１１は支軸１３を中心に下方に回動する。これによりブレーキ手段１１の弯曲部１２はワイヤリール２の周縁部から離反するので、ワイヤリール２は自由に回転することが可能となり、ワイヤ３の引き出しと送りは円滑に行なわれる。
【００１２】
これに対し、所定の長さのワイヤ３送りが終了すると、ワイヤ送り手段５の作動が停止するとともに、ワイヤリール２は惰性で回転するので、ワイヤ３はたるむ。このためブレーキ手段１１は図２に示されるように圧縮バネ１４のバネ力によりワイヤ３を押し上げて上方に回動するので、弯曲部１２はワイヤリール２のフランジ２ｂの周縁部に係合して押圧するのでその摩擦力によりブレーキがかかり、ワイヤリール２の回転は停止する。
【００１３】
上述のように、所定の長さのワイヤ３の送り終了とほぼ同時に、ブレーキ手段１１が作動してワイヤリール２にブレーキがかけられてその回転が急停止するので、ワイヤリール２が回転し過ぎてワイヤ３の径が膨らむことがなく、常にワイヤ３を円滑に送ることができ、従来のブレーキ機構における消費電流の増加、モータの発熱、スピード低下等の不都合を良好に防止することができる。
【００１４】
なお、図示しないが、ブレーキ手段１１の弯曲部１２の内側に突部を形成し、この突部をワイヤリール２の周縁部に一定間隔に形成した係合凹部に係合させることによってブレーキをかける構成にしてもよい。
【図面の簡単な説明】
【図１】鉄筋結束機の概要を示す側面の縦断面図
【図２】上記鉄筋結束機のブレーキ機構の概要を示す側面図
【図３】上記ブレーキ機構の作動態様を示す側面図
【図４】従来のブレーキ時のワイヤリールの状態を示す説明図
【符号の説明】
１  結束機本体
２  ワイヤリール
３  結束用ワイヤ
５  送り手段
【図１】
0003582331.tif 000002
【図２】
0003582331.tif 000003
【図３】
0003582331.tif 000004
【図４】
0003582331.tif 000005